(57)【特許請求の範囲】
【請求項１】
ＩＰ網に接続可能な電話装置であって、
所定の情報配信サーバにアクセスするためのＵＲＩが記憶されたＵＲＩ記憶手段と、
通話相手に送信する呼設定要求メッセージまたは呼設定応答メッセージに、前記ＵＲＩ記憶手段に記憶されているＵＲＩを含めて、当該ＵＲＩを当該通話相手に送信する第一のＵＲＩ送信手段と、
パケットの宛先に基づいて、自電話装置、所定の情報端末および前記ＩＰ網間における当該パケットの中継を行う中継手段と、
前記中継手段を介して前記所定の情報端末から前記ＩＰ網へ送信されるパケットを監視し、当該パケットがアクセス要求メッセージを格納している場合に、当該アクセス要求メッセージから前記所定の情報端末のアクセス先のＵＲＩを抽出するＵＲＩ抽出手段と、
前記ＵＲＩ抽出手段により抽出されたＵＲＩを前記ＵＲＩ記憶手段に登録するＵＲＩ登録手段と、を有する
ことを特徴とする電話装置。
【請求項２】
請求項１に記載の電話装置であって、
前記通話相手からＵＲＩを受信するＵＲＩ受信手段と、
前記ＵＲＩ受信手段により受信したＵＲＩを前記所定の情報端末に送信する第二のＵＲＩ送信手段と、をさらに有する
ことを特徴とする電話装置。
【請求項３】
請求項２に記載の電話装置であって、
前記ＵＲＩ受信手段は、
前記通話相手に送信した前記呼設定要求メッセージに対する応答として前記通話相手より受信する前記呼設定応答メッセージまたは前記通話相手より受信する前記呼設定要求メッセージから、前記通話相手から受信するＵＲＩを抽出する
ことを特徴とする電話装置。
【請求項４】
電話装置および情報端末を有する電子会議装置を用いた電子会議方法であって、
発信側の前記電子会議装置において、
発信側の前記電話装置が、
パケットの宛先に基づいて、自電話装置、発信側の前記情報端末およびＩＰ網間における当該パケットの中継を行うとともに、発信側の前記情報端末から前記ＩＰ網へ送信されるパケットを監視し、当該パケットがアクセス要求メッセージを格納している場合に、当該アクセス要求メッセージから発信側の前記情報端末のアクセス先のＵＲＩを抽出して記憶し、
呼設定要求メッセージに前記記憶された発信側の前記情報端末のアクセス先のＵＲＩを含めて着信側の前記電話装置に送信するとともに、着信側の前記電話装置より受信した呼設定応答メッセージからＵＲＩを抽出して、発信側の前記情報端末に送信し、
発信側の前記情報端末が、
発信側の前記電話装置より受信したＵＲＩにより特定される情報配信サーバにアクセスして情報を表示し、
着信側の前記電子会議装置において、
着信側の前記電話装置が、
パケットの宛先に基づいて、自電話装置、着信側の前記情報端末および前記ＩＰ網間における当該パケットの中継を行うとともに、着信側の前記情報端末から前記ＩＰ網へ送信されるパケットを監視し、当該パケットがアクセス要求メッセージを格納している場合に、当該アクセス要求メッセージから着信側の前記情報端末のアクセス先のＵＲＩを抽出して記憶し、
発信側の前記電話装置より受信した前記呼設定要求メッセージからＵＲＩを抽出して、着信側の前記情報端末に送信するとともに、前記呼設定応答メッセージに前記記憶された着信側の前記情報端末のアクセス先のＵＲＩを含めて発信側の前記電話装置に送信し、
着信側の前記情報端末が、
着信側の前記電話装置より受信したＵＲＩにより特定される前記情報配信サーバにアクセスして情報を表示する
ことを特徴とする電子会議方法。
【発明の詳細な説明】
【技術分野】
【０００１】
本発明は、ＩＰ網に接続可能な電話装置に関し、特に電子会議システムの構築に好適な電話装置の技術に関する。
【背景技術】
【０００２】
特許文献１には、ＰＣベースでＩＴＵ−Ｔ勧告のＴＶ会議サービスを提供する電子会議端末が開示されている。この電子会議端末は、ＩＴＵ−ＴのＨシリーズで勧告する動画、音声、データ、フレーム同期信号、およびビット割当信号を、ＩＳＤＮ回線の非制限デジタルモードのＢチャンネルで多重伝送するとき、動画、音声、データに分離することなく多重情報としてＰＣと送受信するネットワーク制御部と、動画の圧縮伸張を行う動画コーデック部と、音声の圧縮伸張を行う音声コーデック部と、ＰＣと、を備えている。
【０００３】
また、特許文献２には、自機器の送信した画像データが、相手方の機器において実際にどのように表示されているのかを把握できるＴＶ会議装置が開示されている。このＴＶ会議装置は、ネットワークを介して相手方のＴＶ会議装置との間でＴＶ会議を行う。このＴＶ会議装置は、ユーザを撮像する撮像手段と、撮像手段により撮像されたユーザの画像データを符号化する画像符号化手段と、符号化後の画像データを第一の符号化画像データとして相手方のＴＶ会議装置に向けて送信する画像送信手段と、相手方のＴＶ会議装置から第二の符号化画像データを受信する画像受信手段と、第一および第二の符号化画像データを復号化して第一および第二の復号化画像データを生成する画像復号化手段と、第一および第二の復号化画像データを表示する表示手段と、を備えている。
【先行技術文献】
【特許文献】
【０００４】
【特許文献１】特開平７−２８４０７７号公報
【特許文献２】特開２００６−２２９４５６号公報
【発明の概要】
【発明が解決しようとする課題】
【０００５】
しかしながら、特許文献１あるいは特許文献２に記載の技術によりＴＶ会議を実現するためには、ＰＣをＴＶ会議端末として機能させるための専用のアプリケーションソフトが必要である。あるいは、音声および映像の両方を送受信可能な専用のＴＶ会議端末が必要である。このため、ＴＶ会議を実現するためのコストが高くなる。
【０００６】
本発明は上記事情に鑑みてなされたものであり、本発明の目的は、既存の情報端末を利用して電子会議を実現する電話装置の技術を提供することにある。
【課題を解決するための手段】
【０００７】
上記課題を解決するために、本発明では、発信側の電話装置が、着信側の電話装置に、通話相手に見せたい情報を配信する情報配信サーバのＵＲＩを送信すると共に、着信側の電話装置からＵＲＩを受信して発信側の情報端末に送信する。また、発信側の情報端末が、発信側の電話装置より受信したＵＲＩにアクセスして情報をダウンロードし表示する。一方、着信側の電話装置が、発信側の電話装置からＵＲＩを受信して着信側の情報端末に送信すると共に、発信側の電話装置に、通話相手に見せたい情報を配信する情報配信サーバのＵＲＩを送信する。また、着信側の情報端末が、着信側の電話装置より受信したＵＲＩにアクセスして情報を表示する。
【０００８】
例えば、本発明は、ＩＰ網に接続可能な電話装置であって、
所定の情報配信サーバにアクセスするためのＵＲＩが記憶されたＵＲＩ記憶手段と、
通話相手に送信する呼設定要求メッセージまたは呼設定応答メッセージに、前記ＵＲＩ記憶手段に記憶されているＵＲＩを含めて、当該ＵＲＩを当該通話相手に送信する第一のＵＲＩ送信手段と、
パケットの宛先に基づいて、自電話装置、所定の情報端末および前記ＩＰ網間における当該パケットの中継を行う中継手段と、
前記中継手段を介して前記所定の情報端末から前記ＩＰ網へ送信されるパケットを監視し、当該パケットがアクセス要求メッセージを格納している場合に、当該アクセス要求メッセージから前記所定の情報端末のアクセス先のＵＲＩを抽出するＵＲＩ抽出手段と、
前記ＵＲＩ抽出手段により抽出されたＵＲＩを前記ＵＲＩ記憶手段に登録するＵＲＩ登録手段と、を有する。
【０００９】
ここで、前記電話装置は、
前記通話相手からＵＲＩを受信するＵＲＩ受信手段と、
前記ＵＲＩ受信手段により受信したＵＲＩを前記所定の情報端末に送信する第二のＵＲＩ送信手段と、をさらに有してもよい。
【発明の効果】
【００１０】
本発明の電話装置によれば、既存の情報端末を利用して電子会議を実現できる。
【図面の簡単な説明】
【００１１】
【図１】図１は、本発明の第一の実施の形態が適用された電子会議システムの概略図である。
【図２】図２は、ＩＰ電話機１１の概略構成図である。
【図３】図３（Ａ）は、ブラウザ用ＵＲＩが挿入された呼設定要求メッセージとして、ＳＩＰによるＩＮＶＩＴＥメッセージの例を示す図であり、図３（Ｂ）は、ブラウザ用ＵＲＩが挿入された呼設定応答メッセージとして、ＳＩＰによる２００ＯＫメッセージの例を示す図である。
【図４】図４は、ＩＰ電話機１１の動作を説明するためのフロー図である。
【図５】図５は、本発明の第一の実施の形態が適用された電子会議システムの動作例を説明するためのシーケンス図である。
【図６】図６は、本発明の第二の実施の形態が適用された電子会議システムの概略図である。
【図７】図７は、ＩＰ電話機１１Ａの概略構成図である。
【図８】図８は、アクセス要求メッセージとして、ＨＴＴＰによるＧＥＴメッセージの例を示す図である。
【図９】図９は、ＩＰ電話機１１Ａの動作を説明するためのフロー図である。
【図１０】図１０は、本発明の第三の実施の形態が適用された電子会議システムの概略図である。
【図１１】図１１は、ＩＰ電話機１１Ｂの概略構成図である。
【図１２】図１２は、ＵＲＩ決定テーブル記憶部１３１の登録内容を模式的に表した図である。
【図１３】図１３は、ＩＰ電話機１１Ｂの動作を説明するためのフロー図である。
【図１４】図１４は、無線ＩＰ電話機１１Ｃの概略構成図である。
【図１５】図１５は、本発明の第三の実施の形態が適用された電子会議システムの動作例を説明するためのシーケンス図である。
【発明を実施するための形態】
【００１２】
以下、本発明の実施の形態について説明する。
【００１３】
［第一の実施の形態］
図１は、本発明の第一の実施の形態が適用された電子会議システムの概略図である。
【００１４】
図示するように、本実施の形態の電子会議システムは、複数の電子会議装置１および少なくとも一つの情報配信サーバ２がＩＰ網４に接続されて構成される。
【００１５】
情報配信サーバ２は、カメラで撮像した映像等のストリーミングデータを配信するストリーミングサーバ、電子掲示板等のＷＥＢページを配信するＷＥＢサーバ等の既存の情報提供サイトである。
【００１６】
電子会議装置１は、ＩＰ電話機１１と、ブラウザ端末１２とを有する。ブラウザ端末１２は、ＩＰ網４を介して情報配信サーバ２にアクセスし、アクセス先の情報配信サーバ２からストリーミングデータ、ＷＥＢデータ等の情報をダウンロードして表示する既存の情報端末である。ＩＰ電話機１１は、通話相手のＩＰ電話機１１に対するコネクションをＩＰ網４上に確立し、このコネクションを介して通話を行う。なお、ＩＰ電話機１１は、ＩＰ網４上の交換装置３を介して、通話相手のＩＰ電話機１１との間にコネクションを確立してもよいし、あるいは、交換装置３を介さないで、直接、通話相手のＩＰ電話機１１との間にコネクションを確立してもよい。
【００１７】
また、ＩＰ電話機１１は、通話相手に見せたい情報を配信する情報配信サーバ２のＵＲＩ（Ｕｎｉｆｏｒｍ  Ｒｅｓｏｕｒｃｅ  Ｉｄｅｎｔｉｆｉｅｒ）を通話相手のＩＰ電話機１１に通知すると共に、通話相手のＩＰ電話機１１から通知されたＵＲＩを自電子会議装置１のブラウザ端末１２に通知する。
【００１８】
図２は、ＩＰ電話機１１の概略構成図である。
【００１９】
図示するように、ＩＰ電話機１１は、ネットワークインターフェース部１１１と、マイクおよびスピーカを備えたハンドセット１１２と、ダイヤルキー、ファンクションキー等の各種ボタン、ＬＣＤ等の表示部、および呼出用のスピーカを備えた操作パネル１１３と、呼制御部１１４と、通話処理部１１５と、ＵＲＩ記憶部１１６と、ＵＲＩ挿入部１１７と、ＵＲＩ抽出部１１８と、端末通知部１１９と、を有する。
【００２０】
ネットワークインターフェース部１１１は、ＩＰ網４に接続するためのインターフェースである。
【００２１】
呼制御部１１４は、ＳＩＰ（Ｓｅｓｓｉｏｎ  Ｉｎｉｔｉａｔｉｏｎ  Ｐｒｏｔｏｃｏｌ）等の呼制御プロトコルに従い呼制御処理を行って、通話相手との間にコネクションを確立する。
【００２２】
通話処理部１１５は、ＲＴＰ（Ｒｅａｌｔｉｍｅ  Ｔｒａｎｓｐｏｒｔ  Ｐｒｏｔｏｃｏｌ）等の伝送プロトコルに従い伝送処理を行って、呼制御部１１４により確立されたコネクションを介して通話相手と通話データを送受する。
【００２３】
ＵＲＩ記憶部１１６には、通話相手に見せたい情報を配信する情報配信サーバ２のＵＲＩが、ブラウザ用ＵＲＩとして少なくとも一つ記憶されている。なお、通話相手に見せたい情報として、例えば、カメラで撮影したユーザの映像データ、ユーザのホームページ、電子掲示板等が考えられる。
【００２４】
ＵＲＩ挿入部１１７は、ＵＲＩ記憶部１１６に記憶されているブラウザ用ＵＲＩを、呼制御部１１４が生成する呼設定要求メッセージおよび呼設定応答メッセージに挿入する。
【００２５】
図３（Ａ）は、ブラウザ用ＵＲＩが挿入された呼設定要求メッセージとして、ＳＩＰによるＩＮＶＩＴＥメッセージの例を示している。また、図３（Ｂ）は、ブラウザ用ＵＲＩが挿入された呼設定応答メッセージとして、ＳＩＰによる２００ＯＫメッセージの例を示している。図３（Ａ）、（Ｂ）において、符号１１７１、１１７２がブラウザ用ＵＲＩを記述するために設けられた独自タグである。
【００２６】
ＵＲＩ抽出部１１８は、呼制御部１１４が通話相手から受信する呼設定要求メッセージおよび呼設定応答メッセージから、ブラウザ用ＵＲＩを抽出する。
【００２７】
端末通知部１１９は、ＵＲＩ抽出部１１８により抽出されたブラウザ用ＵＲＩを自電子会議装置１のブラウザ端末１２に通知する。例えば、ＵＲＩ抽出部１１８により抽出されたブラウザ用ＵＲＩが記述された電子メールを作成し、ＳＭＴＰ（Ｓｉｍｐｌｅ  Ｍａｉｌ  Ｔｒａｎｓｆｅｒ  Ｐｒｏｔｏｃｏｌ）により、この電子メールを自電子会議装置１のブラウザ端末１２に送信する。あるいは、ＵＲＩ抽出部１１８により抽出されたブラウザ用ＵＲＩが記述された文書ファイルを作成し、ＦＴＰ（Ｆｉｌｅ  Ｔｒａｎｓｆｅｒ  Ｐｒｏｔｏｃｏｌ）により、この文書ファイルを自電子会議装置１のブラウザ端末１２に送信する。または、Ｍｉｃｒｏｓｏｆｔ社のＡｃｔｉｖｅＸや独自の専用プロトコルであってもよい。
【００２８】
図４は、ＩＰ電話機１１の動作を説明するためのフロー図である。
【００２９】
呼制御部１１４は、操作パネル１１３を介して、ユーザからオフフック等の発信指示を受け付けると（Ｓ１０１でＹＥＳ）、操作パネル１１３を介して、ユーザから電話番号を受け付ける（Ｓ１０２）。また、呼制御部１１４は、ＵＲＩ挿入部１１７にブラウザ用ＵＲＩの指定を指示する。これを受けて、ＵＲＩ挿入部１１７は、例えばＵＲＩ記憶部１１６に記憶されているブラウザ用ＵＲＩを操作パネル１１３にリスト表示する。そして、操作パネル１１３を介して、ユーザからブラウザ用ＵＲＩの指定を受け付ける（Ｓ１０３）。
【００３０】
次に、呼制御部１１４は、Ｓ１０２で受け付けた電話番号を宛先番号とする呼設定要求メッセージを生成し、ＵＲＩ挿入部１１７に渡す。これを受けて、ＵＲＩ挿入部１１７は、この呼設定要求メッセージに、Ｓ１０３で指定されたブラウザ用ＵＲＩを挿入して、呼制御部１１４に返す。そして、呼制御部１１４は、ＵＲＩ挿入部１１７によりブラウザ用ＵＲＩが挿入された呼設定要求メッセージを、ネットワークインターフェース部１１１を介してＩＰ網４に送信する（Ｓ１０４）。この呼設定要求メッセージは、ＩＰ網４を介して、通話相手のＩＰ電話機１１に送信される。
【００３１】
さて、呼制御部１１４は、ネットワークインターフェース部１１１を介して、通話相手のＩＰ電話機１１から呼設定応答メッセージを受信すると（Ｓ１０５でＹＥＳ）、通話相手のＩＰ電話機１１との間にコネクションを確立する（Ｓ１０６）。これにより、通話処理部１１５が、このコネクションを介して通話相手のＩＰ電話機１１と通話データを送受する。すなわち、ハンドセット１１２に入力されたユーザの音声データを通話データに変換し、このコネクションを介して通話相手のＩＰ電話機１１に送信する。また、このコネクションを介して通話相手のＩＰ電話機１１から受信した通話データを音声データに変換し、ハンドセット１１２から出力する。
【００３２】
また、呼制御部１１４は、通話相手のＩＰ電話機１１から受信した呼設定応答メッセージをＵＲＩ抽出部１１８に渡す。これを受けて、ＵＲＩ抽出部１１８は、この呼設定応答メッセージからブラウザ用ＵＲＩを抽出し、端末通知部１１９に渡す（Ｓ１０７）。これを受けて、端末通知部１１９は、通話相手のＩＰ電話機１１の呼設定応答メッセージから抽出されたブラウザ用ＵＲＩを、ネットワークインターフェース部１１１を介して、自電子会議装置１のブラウザ端末１２に通知する（Ｓ１０８）。これにより、ブラウザ端末１２は、ユーザの指示に従い、自電子会議装置１のＩＰ電話機１１から通知されたブラウザ用ＵＲＩにより特定される情報配信サーバ２にアクセスして、通話相手の情報（ストリーミングデータ、ＷＥＢページ等）をダウンロードし表示することができる。
【００３３】
その後、呼制御部１１４は、通話相手のＩＰ電話機１１から解放要求メッセージを受信すると、解放応答メッセージを返信してコネクションを切断し、通話を終了する。あるいは、ユーザからオンフック等の通話終了指示を受け付けると、通話相手のＩＰ電話機１１に解放要求メッセージを送信して、コネクションを切断し、通話を終了する（Ｓ１０９）。
【００３４】
また、呼制御部１１４は、ネットワークインターフェース部１１１を介して、通話相手のＩＰ電話機１１から呼設定要求メッセージを受信すると（Ｓ１１１でＹＥＳ）、操作パネル１１３から呼出音を出力し、操作パネル１１３を介して、ユーザからオフフック等の応答指示を受け付けるのを待つ（Ｓ１１２）。そして、ユーザから応答指示を受け付けたならば（Ｓ１１２でＹＥＳ）、呼制御部１１４は、通話相手のＩＰ電話機１１から受信した呼設定要求メッセージをＵＲＩ抽出部１１８に渡す。これを受けて、ＵＲＩ抽出部１１８は、この呼設定要求メッセージからブラウザ用ＵＲＩを抽出し、端末通知部１１９に渡す（Ｓ１１３）。これを受けて、端末通知部１１９は、通話相手のＩＰ電話機１１の呼設定要求メッセージから抽出されたブラウザ用ＵＲＩを、ネットワークインターフェース部１１１を介して、自電子会議装置１のブラウザ端末１２に通知する（Ｓ１１４）。これにより、ブラウザ端末１２は、ユーザの指示に従い、自電子会議装置１のＩＰ電話機１１から通知されたブラウザ用ＵＲＩにより特定される情報配信サーバ２にアクセスして、通話相手の情報（ストリーミングデータ、ＷＥＢページ等）をダウンロードし表示することができる。
【００３５】
また、呼制御部１１４は、ＵＲＩ挿入部１１７にブラウザ用ＵＲＩの指定を指示する。これを受けて、ＵＲＩ挿入部１１７は、例えばＵＲＩ記憶部１１６に記憶されているブラウザ用ＵＲＩを操作パネル１１３にリスト表示する。そして、操作パネル１１３を介して、ユーザからブラウザ用ＵＲＩの指定を受け付ける（Ｓ１１５）。
【００３６】
次に、呼制御部１１４は、通話相手のＩＰ電話機１１から受信した呼設定要求メッセージに対する呼設定応答メッセージを生成し、ＵＲＩ挿入部１１７に渡す。これを受けて、ＵＲＩ挿入部１１７は、この呼設定応答メッセージに、Ｓ１１５で指定されたブラウザ用ＵＲＩを挿入して、呼制御部１１４に返す。そして、呼制御部１１４は、ＵＲＩ挿入部１１７によりブラウザ用ＵＲＩが挿入された呼設定応答メッセージを、ネットワークインターフェース部１１１を介して通話相手のＩＰ電話機１１に送信する（Ｓ１１６）。
【００３７】
これにより、通話相手のＩＰ電話機１１との間にコネクションが確立され（Ｓ１１７）、通話処理部１１５が、このコネクションを介して通話相手のＩＰ電話機１１と通話データを送受する。すなわち、ハンドセット１１２に入力されたユーザの音声データを通話データに変換し、このコネクションを介して通話相手のＩＰ電話機１１に送信する。また、このコネクションを介して通話相手のＩＰ電話機１１から受信した通話データを音声データに変換し、ハンドセット１１２から出力する。
【００３８】
その後、呼制御部１１４は、通話相手のＩＰ電話機１１から解放要求メッセージを受信すると、解放応答メッセージを返信してコネクションを切断し、通話を終了する。あるいは、操作パネル１１３を介して、ユーザからオンフック等の通話終了指示を受け付けると、通話相手のＩＰ電話機１１に解放要求メッセージを送信して、コネクションを切断し、通話を終了する（Ｓ１１８）。
【００３９】
図５は、本発明の第一の実施の形態が適用された電子会議システムの動作例を説明するためのシーケンス図である。
【００４０】
ここで、ＩＰ電話機「Ａ」１１およびブラウザ端末「Ａ」１２が発信側の電子会議装置１であり、情報配信サーバ「Ａ」２が、発信側のユーザが見せたい情報を配信する情報配信サーバ２である。また、ＩＰ電話機「Ｂ」１１およびブラウザ端末「Ｂ」１２が着信側の電子会議装置１であり、情報配信サーバ「Ｂ」２が、着信側のユーザが見せたい情報を配信する情報配信サーバ２である。
【００４１】
ＩＰ電話機「Ａ」１１は、発信側のユーザから発信指示を受け付けると（Ｓ１３１）、通話相手のＩＰ電話機「Ｂ」１１の電話番号が入力され、さらに通話相手に見せたい情報を配信する情報配信サーバ「Ａ」２のＵＲＩが指定されるのを待つ（Ｓ１３２、Ｓ１３３）。そして、ＩＰ電話機「Ｂ」１１の電話番号を宛先番号とする呼設定要求メッセージに、情報配信サーバ「Ａ」２のＵＲＩをブラウザ用ＵＲＩとして挿入し、この呼設定要求メッセージを送信する。この呼設定要求メッセージは、例えば交換装置３を介してＩＰ電話機「Ｂ」１１に送信される（Ｓ１３４）。
【００４２】
次に、ＩＰ電話機「Ｂ」１１は、呼設定要求メッセージを受信すると、着信側のユーザから応答指示が入力されるのを待つ（Ｓ１３５）。応答指示を受け付けたならば、この呼設定要求メッセージからブラウザ用ＵＲＩを抽出し、ブラウザ端末「Ｂ」１２に通知する（Ｓ１３６）。また、ＩＰ電話機「Ｂ」１１は、着信側のユーザから、通話相手に見せたい情報を配信する情報配信サーバ「Ｂ」２のＵＲＩが指定されるのを待つ（Ｓ１３７）。そして、この呼設定要求メッセージに対する呼設定応答メッセージに、情報配信サーバ「Ｂ」２のＵＲＩをブラウザ用ＵＲＩとして挿入し、この呼設定応答メッセージを送信する。この呼設定応答メッセージは、例えば交換装置３を介してＩＰ電話機「Ａ」１１に送信される（Ｓ１３８）。
【００４３】
ＩＰ電話機「Ａ」１１は、呼設定応答メッセージを受信すると、この呼設定応答メッセージからブラウザ用ＵＲＩを抽出し、ブラウザ端末「Ａ］１２に通知する（Ｓ１３９）。
【００４４】
また、ＩＰ電話機「Ａ」１１が呼設定応答メッセージを受信することにより、ＩＰ電話機「Ａ」１１とＩＰ電話機「Ｂ」１１との間にコネクションが確立され、このコネクションを介して通話が開示される（Ｓ１４０）。
【００４５】
さて、ブラウザ端末「Ｂ」１２は、着信側のユーザより、ＩＰ電話機「Ｂ」１１から通知されたブラウザ用ＵＲＩへのアクセス指示を受け付けると（Ｓ１４１）、このブラウザ用ＵＲＩにより特定される情報配信サーバ「Ａ」２にアクセスし（Ｓ１４２）、この情報配信サーバ「Ａ］２から情報をダウンロードして表示する（Ｓ１４３）。
【００４６】
同様に、ブラウザ端末「Ａ」１２は、発信側のユーザより、ＩＰ電話機「Ａ」１２から通知されたブラウザ用ＵＲＩへのアクセス指示を受け付けると（Ｓ１４４）、このブラウザ用ＵＲＩにより特定される情報配信サーバ「Ｂ」２にアクセスし（Ｓ１４５）、この情報配信サーバ「Ｂ」２から情報をダウンロードして表示する（Ｓ１４６）。
【００４７】
尚、本実施例では説明を分かりやすくするため、Ｓ１４１のアクセス指示をＳ１４０の通話が確立した後の検出で説明したが、本発明はこれに限定されない。例えば、Ｓ１３４の呼設定要求を受け取って呼び出し中にアクセスしてもよい。
【００４８】
以上、本発明の第一の実施の形態を説明した。
【００４９】
本実施の形態では、発信側のＩＰ電話機１１が、着信側のＩＰ電話機１１に、通話相手に提供したい情報を配信する情報配信サーバ２のＵＲＩ（ブラウザ用ＵＲＩ）を送信すると共に、この着信側のＩＰ電話機１１からブラウザ用ＵＲＩを受信して、発信側のブラウザ端末１２に送信する。また、発信側のブラウザ端末１２が、発信側のＩＰ電話機１１より受信したブラウザ用ＵＲＩにアクセスして情報をダウンロードし表示する。
【００５０】
一方、着信側のＩＰ電話機１１が、発信側のＩＰ電話機１１からブラウザ用ＵＲＩを受信して、着信側のブラウザ端末１２に送信すると共に、発信側のＩＰ電話機１１に、通話相手に提供したい情報配信サーバ２のＵＲＩ（ブラウザ用ＵＲＩ）を送信する。また、着信側のブラウザ端末１２が、着信側のＩＰ電話機１１より受信したブラウザ用ＵＲＩにアクセスして情報をダウンロードし表示する。
【００５１】
したがって、本実施の形態によれば、ＩＰ電話機１１と既存のブラウザ端末１２とを併用する簡易な構成で、電子会議を実現できる。
【００５２】
また、本実施の形態において、発信側のＩＰ電話機１１は、呼設定要求メッセージ（例えばＩＮＶＩＴＥメッセージ）にブラウザ用ＵＲＩを含めて、着信側のＩＰ電話機１１に送信すると共に、着信側のＩＰ電話機１１より受信した呼設定応答メッセージ（例えば２００ＯＫメッセージ）からブラウザ用ＵＲＩを抽出して、発信側のブラウザ端末１２に送信する。
【００５３】
同様に、着信側のＩＰ電話機１１は、発信側のＩＰ電話機１１より受信した呼設定要求メッセージからブラウザ用ＵＲＩを抽出して、着信側のブラウザ端末１２に送信すると共に、呼設定応答メッセージ（例えば２００ＯＫメッセージ）にブラウザ用ＵＲＩを含めて、発信側のＩＰ電話機１１に送信する。
【００５４】
このようにすることにより、発信側のＩＰ電話機１１および着信側のＩＰ電話機１１間でブラウザ用ＵＲＩを交換するために専用のパケットを送受する必要がない。このため、ブラウザ用ＵＲＩの交換のためにＩＰ電話機１１に採用する構成を簡易にすることができる。また、通信トラヒックの発生を低減させることができる。
【００５５】
また、本実施の形態において、ＩＰ電話機１１は、通話相手より受信したブラウザ用ＵＲＩをＳＭＴＰあるいはＦＴＰまたはＭｉｃｒｏｓｏｆｔ社のＡｃｔｉｖｅＸや独自の専用プロトコルによりブラウザ端末１２に送信する。このため、ブラウザ用ＵＲＩを受信するために、ブラウザ端末１２に特別な構成を採用する必要がない。
【００５６】
なお、本実施の形態において、ＵＲＩ挿入部１１７は、操作パネル１１３を介して入力されたユーザの指示に従い、ＵＲＩ記憶部１１６に記憶されているブラウザ用ＵＲＩの中から一つ選択して、呼制御部１１４が生成する呼設定要求メッセージおよび呼設定応答メッセージに挿入している。しかし、本発明はこれに限定されない。例えばＵＲＩ記憶部１１６に記憶されているブラウザ用ＵＲＩが一つの場合は、ユーザから指示を受け付けることなく、このブラウザ用ＵＲＩを、呼制御部１１４が生成する呼設定要求メッセージおよび呼設定応答メッセージに挿入してもよい。
【００５７】
また、本実施の形態においては、発信側および着信側のＩＰ電話機１１として有線端末を用いているが、無線ＩＰ電話機を用いてもよい。
【００５８】
［第二の実施の形態］
図６は、本発明の第二の実施の形態が適用された電子会議システムの概略図である。ここで、図１に示す第一の実施の形態と同じものには同じ符号を付している。
【００５９】
図示するように、本実施の形態の電子会議システムが、図１に示す第一の実施の形態の電子会議システムと異なる点は、電子会議装置１に代えて電子会議装置１Ａを設けたことである。電子会議装置１Ａは、ＩＰ電話機１１Ａと、ブラウザ端末１２とを有する。
【００６０】
ＩＰ電話機１１Ａは、通話相手のＩＰ電話機１１Ａに対するコネクションをＩＰ網４上に確立し、このコネクションを介して通話を行う。なお、第一の実施の形態のＩＰ電話機１１と同様に、ＩＰ電話機１１Ａは、ＩＰ網４上の交換装置３を介して、通話相手のＩＰ電話機１１Ａとの間にコネクションを確立してもよいし、あるいは、交換装置３を介さないで、直接、通話相手のＩＰ電話機１１Ａとの間にコネクションを確立してもよい。
【００６１】
また、ＩＰ電話機１１Ａは、自電子会議装置１Ａのブラウザ端末１２のアクセス先を監視する。そして、自電子会議装置１Ａのブラウザ端末１２がアクセス中の情報配信サーバ２のＵＲＩを通話相手のＩＰ電話機１１Ａに通知すると共に、通話相手のＩＰ電話機１１Ａから通知されたＵＲＩを自電子会議装置１Ａのブラウザ端末１２に通知する。
【００６２】
図７は、ＩＰ電話機１１Ａの概略構成図である。
【００６３】
図示するように、本実施の形態のＩＰ電話機１１Ａが図２に示す第一の実施の形態のＩＰ電話機１１と異なる点は、スイッチングハブ１２０、接続部１２１、およびアクセス先監視部１２２が追加されていることである。
【００６４】
スイッチングハブ１２０は、自ＩＰ電話機１１Ａと、自電子会議装置１Ａのブラウザ端末１２と、ＩＰ網４との間を中継するスイッチングハブであり、ネットワークインターフェース部１１１、接続部１２１およびＩＰ網４に接続される。スイッチングハブ１２０は、受信したパケットの宛先が自ＩＰ電話機１１Ａである場合にネットワークインターフェース部１１１に送信し、自電子会議装置１Ａのブラウザ端末１２である場合に接続部１２１に送信し、そして、自ＩＰ電話機１１Ａおよび自電子会議装置１Ａのブラウザ端末１２以外の端末である場合にＩＰ網４に送信する。
【００６５】
接続部１２１は、自電子会議装置１Ａのブラウザ端末１２を接続するための物理的なインターフェース（コネクタ）である。
【００６６】
アクセス先監視部１２２は、接続部１２１からスイッチングハブ１２０へ伝送されるアクセス要求メッセージを解析して、自電子会議装置１Ａのブラウザ端末１２のアクセス先である情報配信サーバ２のＵＲＩを取得する。そして、取得したＵＲＩをブラウザ用ＵＲＩとしてＵＲＩ記憶部１１６に記憶する。
【００６７】
図８は、アクセス要求メッセージとして、ＨＴＴＰ（Ｈｙｐｅｒｔｅｘｔ  Ｔｒａｎｓｆｅｒ  Ｐｒｏｔｏｃｏｌ）によるＧＥＴメッセージの例を示している。ここで、符号１２２１がアクセス先を示すＵＲＩである。
【００６８】
図９は、ＩＰ電話機１１Ａの動作を説明するためのフロー図である。
【００６９】
呼制御部１１４は、操作パネル１１３を介して、ユーザからオフフック等の発信指示を受け付けると（Ｓ２０１でＹＥＳ）、図４のＳ１０２〜Ｓ１０９を行う（Ｓ２０２）。但し、図４のＳ１０３において、ユーザからブラウザ用ＵＲＩの指定を受け付ける代わりに、アクセス先監視部１２２によってＵＲＩ記憶部１１６に記憶された最新のＵＲＩをブラウザ用ＵＲＩに設定する。
【００７０】
また、呼制御部１１４は、ネットワークインターフェース部１１１を介して、通話相手のＩＰ電話機１１から呼設定要求メッセージを受信すると（Ｓ２１１でＹＥＳ）、図４のＳ１１２〜Ｓ１１８を行う（Ｓ２１２）。但し、図４のＳ１１３において、ユーザからブラウザ用ＵＲＩの指定を受け付ける代わりに、アクセス先監視部１２２によってＵＲＩ記憶部１１６に記憶された最新のＵＲＩをブラウザ用ＵＲＩに設定する。
【００７１】
また、アクセス先監視部１２２は、接続部１２１からスイッチングハブ１２０へ伝送されるパケットが発生すると（Ｓ２２１でＹＥＳ）、このパケットが、アクセス要求メッセージを格納するパケットであるか否かを調べる（Ｓ２２２）。アクセス要求メッセージを格納するパケットである場合（Ｓ２２２でＹＥＳ）、アクセス先監視部１２２は、このアクセス要求メッセージからアクセス先のＵＲＩを抽出し（Ｓ２２３）、このＵＲＩをブラウザ用ＵＲＩとしてＵＲＩ記憶部１１６に記憶する（Ｓ２２４）。
【００７２】
次に、本発明の第二の実施の形態が適用された電子会議システムの動作例を説明する。
【００７３】
本実施の形態では、ブラウザ端末１２が情報配信サーバ２にアクセスする都度、この情報配信サーバ２のＵＲＩがブラウザ用ＵＲＩとして、このブラウザ端末１２と同じ電子会議装置１ＡのＩＰ電話機１１Ａに登録される。また、発信側および着信側のＩＰ電話機１１Ａは、図５のＳ１３３、Ｓ１３７において、ユーザからブラウザ用ＵＲＩの指定を受け付ける代わりに、自機に登録された最新のブラウザ用ＵＲＩを、通話相手に通知するブラウザ用ＵＲＩとして、呼設定要求メッセージ、呼設定応答メッセージに含める。その他の動作は、図５に示す第一の実施の形態の動作例と同様である。
【００７４】
以上、本発明の第二の実施の形態を説明した。
【００７５】
本実施の形態において、ＩＰ電話機１１Ａは、アクセス先監視部１２２によりブラウザ端末１２のアクセス先のＵＲＩがブラウザ用ＵＲＩとしてＵＲＩ記憶部１１６に記憶される。そして、ＵＲＩ挿入部１１７によりＵＲＩ記憶部１１６に記憶されている最新のブラウザ用ＵＲＩを呼設定要求メッセージあるいは呼設定応答メッセージに挿入して、通話相手に送信する。したがって、本実施の形態によれば、通話相手に知らせるブラウザ用ＵＲＩをユーザが指定する必要がない。また、ユーザが見ていた情報と同じ情報を通話相手に見せることができる。その他の効果は、上記第一の実施の形態と同様である。
【００７６】
［第三の実施の形態］
図１０は、本発明の第三の実施の形態が適用された電子会議システムの概略図である。ここで、図１に示す第一の実施の形態と同じものには同じ符号を付している。
【００７７】
図示するように、本実施の形態の電子会議システムは、有線端末をＩＰ網４に接続するハブ（ＨＵＢ）等の中継装置６Ａと、無線端末をＩＰ網４に接続する無線アクセスポイント（ＡＰ）等の中継装置６Ｂと、中継装置６Ａ、６Ｂ各々の近傍に設置されたネットワークカメラ５と、中継装置６Ａに接続される電子会議装置１Ｂと、中継装置６Ｂに接続される無線ＩＰ電話機１１Ｃと、を有する。
【００７８】
ネットワークカメラ５は、自ネットワークカメラ５の近傍に位置する中継装置６Ａ、６Ｂに接続された端末のユーザを撮像し、その映像をストリーミングデータとしてＩＰ網４上に配信する情報配信サーバである。
【００７９】
電子会議装置１Ｂは、ＩＰ電話機１１Ｂと、ブラウザ端末１２とを有する。ここで、ブラウザ端末１２は、中継装置６Ａに接続され、この中継装置６Ａを介してＩＰ網４に接続されている。
【００８０】
図１１は、ＩＰ電話機１１Ｂの概略構成図である。ここで、図２に示す第一の実施の形態のＩＰ電話機１１と同じものには同じ符号を付している。
【００８１】
図示するように、ＩＰ電話機１１Ｂが図２に示す第一の実施の形態のＩＰ電話機１１と異なる点は、ＵＲＩ決定テーブル記憶部１３１、ＩＤ情報取得部１３２、およびＵＲＩ決定部１３３が追加されていることである。
【００８２】
ＵＲＩ決定テーブル記憶部１３１には、中継装置６Ａ、６Ｂとネットワークカメラ５との対応関係が記憶されている。図１２は、ＵＲＩ決定テーブル記憶部１３１の登録内容を模式的に表した図である。図示するように、ＵＲＩ決定テーブル記憶部１３１には、中継装置６Ａ、６Ｂ毎にレコード１３１０が登録されている。レコード１３１０は、中継装置６Ａ、６ＢのＩＤ情報を登録するフィールド１３１１と、この中継装置６Ａ、６Ｂの近傍に設置されているネットワークカメラ５のＵＲＩを登録するフィールド１３１２と、を有する。また、フィールド１３１１は、対象とする中継装置がハブ等の中継装置６Ａである場合に、この中継装置６ＡのＭＡＣアドレスを登録するサブフィールド１３１１１と、対象とする中継装置が無線アクセスポイント等の中継装置６Ｂである場合に、この中継装置６ＢのＳＳＩＤ（Ｓｅｒｖｉｃｅ  Ｓｅｔ  Ｉｄｅｎｔｉｆｉｅｒ）を登録するサブフィールド１３１１２と、を有する。
【００８３】
ＩＤ情報取得部１３２は、自ＩＰ電話機１１Ｂに接続する最寄の中継装置６Ａ、６Ｂから報知されるＩＤ情報（中継装置６Ａの場合はＭＡＣアドレス、中継装置６ＢのＳＳＩＤ）を受信し取得する。
【００８４】
ＵＲＩ決定部１３３は、ＵＲＩ決定テーブル記憶部１３１を参照し、ＩＤ情報取得部１３２が取得したＩＤ情報に基づいてブラウザ用ＵＲＩを決定する。具体的には、取得したＩＤ情報がＭＡＣアドレスの場合、このＭＡＣアドレスがサブフィールド１３１１１に登録されているレコード１３１０を検索し、このレコード１３１０のフィールド１３１２に登録されているネットワークカメラ５のＵＲＩをブラウザ用ＵＲＩに決定する。また、取得したＩＤ情報がＳＳＩＤの場合、このＳＳＩＤがサブフィールド１３１１２に登録されているレコード１３１０を検索し、このレコード１３１０のフィールド１３１２に登録されているネットワークカメラ５のＵＲＩをブラウザ用ＵＲＩに決定する。そして、ＵＲＩ決定部１３３は、ＵＲＩ記憶部１１６に記憶するブラウザ用ＵＲＩを、以上のようにして決定したブラウザ用ＵＲＩに更新する。
【００８５】
図１３は、ＩＰ電話機１１Ｂの動作を説明するためのフロー図である。
【００８６】
ＩＤ情報取得部１３２は、ネットワークインターフェース部１１１を介して最寄の中継装置６Ａとの間にリンクが確立されると（Ｓ３０１でＹＥＳ）、この中継装置６Ａが報知するＩＤ情報（ＭＡＣアドレス）を取得する（Ｓ３０２）。ＵＲＩ決定部１３３は、ＩＤ情報取得部１３２により取得されたＩＤ情報をキーにしてＵＲＩ決定テーブル記憶部１３１からレコード１３１０を検索し、このレコード１３１０のフィールド１３１２に登録されているネットワークカメラ５のＵＲＩをブラウザ用ＵＲＩに決定する。そして、ＵＲＩ記憶部１１６に記憶するブラウザ用ＵＲＩを、この決定したブラウザ用ＵＲＩに更新する（Ｓ３０３）。
【００８７】
その後、呼制御部１１４は、操作パネル１１３を介して、ユーザからオフフック等の発信指示を受け付けると（Ｓ３１１でＹＥＳ）、図４のＳ１０２〜Ｓ１０９を行う（Ｓ３１２）。但し、図４のＳ１０３において、ユーザからブラウザ用ＵＲＩの指定を受け付ける代わりに、ＵＲＩ決定部１３３によってＵＲＩ記憶部１１６に記憶された最新のブラウザ用ＵＲＩを用いる。
【００８８】
また、呼制御部１１４は、ネットワークインターフェース部１１１を介して、通話相手のＩＰ電話機１１から呼設定要求メッセージを受信すると（Ｓ３２１でＹＥＳ）、図４のＳ１１２〜Ｓ１１８を行う（Ｓ３２２）。但し、図４のＳ１１３において、ユーザからブラウザ用ＵＲＩの指定を受け付ける代わりに、ＵＲＩ決定部１３３によってＵＲＩ記憶部１１６に記憶された最新のブラウザ用ＵＲＩを用いる。
【００８９】
また、ＩＤ情報取得部１３２は、最寄の中継装置６Ａとの間のリンクが変更されると（Ｓ３３１でＹＥＳ）、Ｓ３０２に戻り、ＵＲＩ記憶部１１６に記憶するブラウザ用ＵＲＩを更新する。
【００９０】
図１４は、無線ＩＰ電話機１１Ｃの概略構成図である。ここで、図１１に示すＩＰ電話機１１Ｂと同じものには同じ符号を付している。
【００９１】
図示するように、無線ＩＰ電話機１１Ｃが図１１に示すＩＰ電話機１１Ｂと異なる点は、中継装置６Ａに有線接続するネットワークインターフェース部１１１に代えて、中継装置６Ｂに無線接続する無線ネットワークインターフェース部１３４を設けたこと、およびＵＲＩ抽出部１１８、端末通知部１１９が省略されていることである。その他の構成は、図１１に示すＩＰ電話機１１Ｂと同様である。
【００９２】
また、無線ＩＰ電話機１１Ｃの動作は、図１３のＳ３０２において最寄の中継装置６Ｂから取得するＩＤ情報がＳＳＩＤであること、および図１３のＳ３２１〜Ｓ３２２が省略されていることを除き、図１３に示すＩＰ電話機１１Ｂの動作フローと同様である。
【００９３】
図１５は、本発明の第三の実施の形態が適用された電子会議システムの動作例を説明するためのシーケンス図である。
【００９４】
ここで、無線ＩＰ電話機１１Ｃが発信側であり、電子会議装置１Ｂが着信側である。また、ネットワークカメラ「Ａ」５が、中継装置６Ｂの近傍に設置されているネットワークカメラ５であり、ネットワークカメラ「Ｂ」５が、中継装置６Ａの近傍に設置されているネットワークカメラ５である。
【００９５】
無線ＩＰ電話機１１Ｃは、最寄の中継装置６Ｂとの間にリンクが確立すると（Ｓ３５１）、この中継装置６Ｂから報知されるＳＳＩＤをＩＤ情報として取得する（Ｓ３５２）。そして、このＩＤ情報に基づいて、この中継装置６Ｂの近傍に設置されているネットワークカメラ「Ａ」５のＵＲＩを特定し、このＵＲＩをブラウザ用ＵＲＩとして登録する。
【００９６】
また、ＩＰ電話機１１Ｂは、最寄の中継装置６Ａとの間にリンクが確立すると（Ｓ３５３）、この中継装置６Ａから報知されるＭＡＣアドレスをＩＤ情報として取得する（Ｓ３５４）。そして、このＩＤ情報に基づいて、この中継装置６Ａの近傍に設置されているネットワークカメラ「Ｂ」５のＵＲＩを特定し、このＵＲＩをブラウザ用ＵＲＩとして登録する。
【００９７】
さて、無線ＩＰ電話１１Ｃは、発信側のユーザから発信指示を受け付けると（Ｓ３５５）、通話相手のＩＰ電話機１１Ｂの電話番号が入力されるのを待つ（Ｓ３５６）。そして、ＩＰ電話機１１Ｂの電話番号を宛先番号とする呼設定要求メッセージに、ネットワークカメラ「Ａ」５のＵＲＩをブラウザ用ＵＲＩとして挿入し、この呼設定要求メッセージを送信する。この呼設定要求メッセージは、中継装置６Ｂ、６Ａを介してＩＰ電話機１１Ｂに送信される（Ｓ３５７）。
【００９８】
次に、ＩＰ電話機１１Ｂは、呼設定要求メッセージを受信すると、着信側のユーザから応答指示が入力されるのを待つ（Ｓ３５８）。応答指示を受け付けたならば、この呼設定要求メッセージからブラウザ用ＵＲＩを抽出し、自電子会議装置１Ｂのブラウザ端末１２に通知する（Ｓ３５９）。また、ＩＰ電話機１１Ｂは、この呼設定要求メッセージに対する呼設定応答メッセージに、ネットワークカメラ「Ｂ」５のＵＲＩをブラウザ用ＵＲＩとして挿入し、この呼設定応答メッセージを送信する。この呼設定応答メッセージは、中継装置６Ａ、６Ｂを介して無線ＩＰ電話機１１Ｃに送信される（Ｓ３６０）。
【００９９】
無線ＩＰ電話機１１Ｃが呼設定応答メッセージを受信することにより、無線ＩＰ電話機１１ＣとＩＰ電話機１１Ｂとの間にコネクションが確立され、このコネクションを介して通話が開始する（Ｓ３６１）。なお、無線ＩＰ電話機１１Ｃは、ＵＲＩ抽出部１１８および端末通知部１１９が省略されている。このため、この呼設定応答メッセージに挿入されているブラウザ用ＵＲＩは、抽出されることなく無視される。
【０１００】
さて、ブラウザ端末１２は、着信側のユーザより、ＩＰ電話機１１Ｂから通知されたブラウザ用ＵＲＩへのアクセス指示を受け付けると（Ｓ３６２）、このブラウザ用ＵＲＩにより特定されるネットワークカメラ「Ａ」５にアクセスする（Ｓ３６３）。そして、このネットワークカメラ「Ａ」５から発信側のユーザの映像をダウンロードして表示する（Ｓ３６４）。
【０１０１】
以上、本発明の第三の実施の形態を説明した。
【０１０２】
本実施の形態において、ＩＰ電話機１１Ｂ、無線ＩＰ電話機１１Ｃは、最寄（リンク先）の中継装置６Ａ、６Ｂの近傍に設置されているネットワークカメラ５のＵＲＩがブラウザ用ＵＲＩとしてＵＲＩ記憶部１１６に記憶される。そして、ＵＲＩ挿入部１１７によりＵＲＩ記憶部１１６に記憶されているブラウザ用ＵＲＩを呼設定要求メッセージあるいは呼設定応答メッセージに挿入して、通話相手に送信する。したがって、本実施の形態によれば、通話相手に知らせるブラウザ用ＵＲＩをユーザが指定する必要がない。また、ユーザの近傍に設定されているネットワークカメラ５のＵＲＩがブラウザ用ＵＲＩに自動設定されるので、このネットワークカメラ５で撮影したユーザの映像を通話相手に見せることができる。その他の効果は、上記第一の実施の形態と同様である。
【０１０３】
なお、本発明は上記の各実施の形態に限定されるものではなく、その要旨の範囲内で数々の変形が可能である。例えば、ＩＰ電話機１１、１１Ａ、１１Ｂおよび無線ＩＰ電話機１１Ｃの構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）、ＰＣ（Ｐｅｒｓｏｎａｌ  Ｃｏｍｐｕｔｅｒ）などの計算機によりソフトウエア的に実行されるものでもよい。
【０１０４】
また、上記の各実施の形態ではＩＰ電話機を例に取り説明したが、本発明はこれに限定されない。ＩＰ網４を介してブラウザ端末１２にＵＲＩを通知するためのインターフェースを備えたものであれば、携帯電話機や通常の固定電話機にも同様に適用できる。
【符号の説明】
【０１０５】
１：電子会議装置、１Ａ〜１Ｂ：電子会議装置、２：情報配信サーバ、３：交換装置、４：ＩＰ網、５：ネットワークカメラ、６Ａ〜６Ｂ：中継装置、１１：ＩＰ電話機、１１Ａ〜１１Ｂ：ＩＰ電話機、１１Ｃ：無線ＩＰ電話機、１２：ブラウザ端末、１１１：ネットワークインターフェース部、１１２：ハンドセット、１１３：操作パネル、１１４：呼制御部、１１５：通話処理部、１１６：ＵＲＩ記憶部、１１７：ＵＲＩ挿入部、１１８：ＵＲＩ抽出部、１１９：端末通知部、１２０：スイッチングハブ、１２１：接続部、１２２：アクセス先監視部、１３１：ＵＲＩ決定テーブル記憶部、１３２：ＩＤ情報取得部、１３３：ＵＲＩ決定部
【図１】
0005445698.tif 000002
【図２】
0005445698.tif 000003
【図３】
0005445698.tif 000004
【図４】
0005445698.tif 000005
【図５】
0005445698.tif 000006
【図６】
0005445698.tif 000007
【図７】
0005445698.tif 000008
【図８】
0005445698.tif 000009
【図９】
0005445698.tif 000010
【図１０】
0005445698.tif 000011
【図１１】
0005445698.tif 000012
【図１２】
0005445698.tif 000013
【図１３】
0005445698.tif 000014
【図１４】
0005445698.tif 000015
【図１５】
0005445698.tif 000016